(57)【要約】【課題】通路上からでもカードの表記面を読み取りやすく、製造し易く、陳列棚等への着脱が容易で、様々な厚さのカードに対応可能であるカードホルダーを提供する。【解決手段】板状のベース部２０と、ベース部２０の裏面に沿って平行に延びる延伸部２１と、ベース部２０の一端と延伸部２１の一端とを連結する逆Ｕ字状の連接部２２とを備えるホルダー本体２と、ベース部２０の表面上に立設される第１弾性片３と、ベース部２０の表面上に、カードが挿脱可能な間隔を空けて第１弾性片３に対して平行に立設される第２弾性片４と、第１弾性片３又は第２弾性片４の少なくともいずれか一方の内側面に設けられ、第１弾性片３と第２弾性片４との間に挿脱自在に挿入されたカードを押圧して挟持することが可能な第１突起６と、を有する。【選択図】図１
0003215245.tif 000002
【実用新案登録請求の範囲】
【請求項１】
情報表示用のカードを保持するカードホルダーにおいて、       
板状のベース部と、当該ベース部の裏面に沿って平行に延びる延伸部と、当該ベース部の一端と当該延伸部の一端とを連結する逆Ｕ字状の連接部とを備えるホルダー本体と、
前記ベース部の表面上に立設される第１弾性片と、
前記ベース部の表面上に、前記カードが挿脱可能な間隔を空けて前記第１弾性片に対して平行に立設される第２弾性片と、
前記第１弾性片又は前記第２弾性片の少なくともいずれか一方の内側面に設けられ、前記第１弾性片と前記第２弾性片との間に挿脱自在に挿入されたカードを押圧して挟持することが可能な第１突起と、
を有することを特徴とするカードホルダー。
【請求項２】
前記第１弾性片及び第２弾性片が、鉛直方向に立設されることを特徴とする請求項１記載のカードホルダー。
【請求項３】
前記第１弾性片が、アーチ又は門型形状の樹脂片であって、両端部を前記ベース部の表面に連接して設けてあり、
前記第２弾性片が、側面視で、外縁を前記第１弾性片の内縁より内側に設けてあることを特徴とする請求項１又は２のいずれか１項に記載のカードホルダー。
【請求項４】
さらに、
前記ベース部の表面上であって前記第１弾性片の内縁の内側に立設され、内側面に第２突起を備え、前記第１弾性片と前記第２弾性片との間に挿入されたカードを前記第１弾性片と同一の面側から押圧して挟持する第３弾性片を有し、
前記第２弾性片が、アーチ又は門型形状の樹脂片であって、両端部を前記ベース部の表面に連接して設けてあり、
前記第３弾性片が、側面視で、外縁を前記第２弾性片の内縁より内側に設けてあることを特徴とする請求項３記載のカードホルダー。
【請求項５】
前記弾性片のそれぞれが、透明な樹脂製であることを特徴とする請求項１ないし４のいずれか１項に記載のカードホルダー。
【請求項６】
前記ホルダー本体は、
前記ベース部の裏面に設けられる突設部と、
前記延伸部に連なり、前記ベース部側に屈曲する部分を有する嵌合部と、
を有することを特徴とする請求項１ないし５のいずれか１項に記載のカードホルダー。
【考案の詳細な説明】
【技術分野】
【０００１】
本考案は、情報表示用のカードを保持するカードホルダーに関し、特に、陳列棚に装着されるカードホルダーに関する。  
【背景技術】
【０００２】
スーパーマーケットやコンビニエンスストア等の小売店舗の陳列棚には、商品の名称、価格、キャッチコピーやイラスト等の各種情報が表記された情報表示用のカード（以下、単に「カード」という。）が取り付けられている。カードは、紙製で矩形状のものが多いが、ポップアップ型広告の役割を担うカードの中には、星形、雲形、組み立てて立体的になるものなど様々な形状のカードがある。また、ラミネート加工が施されたものや、プラスチック製のものもあり、その厚さも区々である。
【０００３】
カードを陳列棚の所定の位置に保持するカードホルダーに関する技術として、例えば、特許文献１に開示される技術が知られている。この技術は、商品に正対した位置から見て、カードの表記面が陳列棚の正面に掲示されるようにカードを保持する際に用いられるものである。
【先行技術文献】
【特許文献】
【０００４】
【特許文献１】実公昭６２−５８４７７号公報
【考案の概要】
【考案が解決しようとする課題】
【０００５】
ところで、表記面が陳列棚の正面に掲示されるようにカードを配置した場合には、通路方向（陳列棚の幅方向）と平行な方向にカードが配置されることになるため、通路上から見て、当該カードに表記された情報を読み取りにくいという問題がある。なお、カードホルダーとしては、製造し易く、陳列棚への着脱が容易で、様々な厚さや形状のカードに対応可能であることが望ましい。
【０００６】
本考案は、上記課題に鑑みてなされたものであり、通路上からでもカードの表記面を読み取りやすく、陳列棚等への着脱が容易で、様々な厚さのカードに対応可能であるカードホルダーを提供することを目的とする。
【課題を解決するための手段】
【０００７】
本考案のカードホルダーは、情報表示用のカードを保持するカードホルダーにおいて、板状のベース部と、当該ベース部の裏面に沿って平行に延びる延伸部と、当該ベース部の一端と当該延伸部の一端とを連結する逆Ｕ字状の連接部とを備えるホルダー本体と、前記ベース部の表面上に立設される第１弾性片と、前記ベース部の表面上に、前記カードが挿脱可能な間隔を空けて前記第１弾性片に対して平行に立設される第２弾性片と、前記第１弾性片又は前記第２弾性片の少なくともいずれか一方の内側面に設けられ、前記第１弾性片と前記第２弾性片との間に挿脱自在に挿入されたカードを押圧して挟持することが可能な第１突起と、を有することを特徴とする。
【０００８】
本考案のカードホルダーは、前記第１弾性片及び第２弾性片が、鉛直方向に立設されるようにしても良い。
【０００９】
本考案のカードホルダーは、前記第１弾性片が、アーチ又は門型形状の樹脂片であって、両端部を前記ベース部の表面に連接して設けてあり、前記第２弾性片が、側面視で、外縁を前記第１弾性片の内縁より内側に設けてあるようにしても良い。さらに、前記ベース部の表面上であって前記第１弾性片の内縁の内側に立設され、内側面に第２突起を備え、前記第１弾性片と前記第２弾性片との間に挿入されたカードを前記第１弾性片と同一の面側から押圧して挟持する第３弾性片を有し、前記第２弾性片が、アーチ又は門型形状の樹脂片であって、両端部を前記ベース部の表面に連接して設けてあり、前記第３弾性片が、側面視で、外縁を前記第２弾性片の内縁より内側に設けてあるようにしても良い。かかるカードホルダーは、離型が容易で、歩留まりが良く、製造し易くなる。
【００１０】
本考案のカードホルダーは、前記弾性片のそれぞれが、透明な樹脂製であっても良い。
【００１１】
本考案のカードホルダーは、前記ホルダー本体は、前記ベース部の裏面に設けられる突設部と、前記延伸部に連なり、前記ベース部側に屈曲する部分を有する嵌合部と、を有するようにしても良い。
【考案の効果】
【００１２】
本考案のカードホルダーによれば、カードホルダーが装着される陳列棚等から通路側へ向けて突出する方向にカードを保持することができるため、通路上からでもカードの表記面を読み取りやすく、これにより、目的の商品が陳列された棚を通路上から見つけることが容易となる。また、陳列棚等への着脱が容易で、様々な厚さのカードに対応可能である。
【図面の簡単な説明】
【００１３】
【図１】本考案の一実施の形態であるカードホルダーの左側面図である。
【図２】図１に示すカードホルダーの正面図である。
【図３】図１に示すカードホルダーの背面図である。
【図４】図１に示すカードホルダーの上面図である。
【図５】図１に示すカードホルダーの底面図である。
【図６】図１に示すカードホルダーの一実施例を左側面方向から示す使用状態説明図である。
【考案を実施するための形態】
【００１４】
以下、本考案の一実施の形態であるカードホルダーを、図面に基づいて詳細に説明する。図１は、本考案の一実施の形態であるカードホルダー１の左側面図であり、図２は、図１に示すカードホルダー１の正面図であり、図３は、図１に示すカードホルダー１の背面図であり、図４は、図１に示すカードホルダー１の上面図であり、図５は、図１に示すカードホルダー１の底面図であり、図６は、図１に示すカードホルダー１の一実施例を左側面方向から示す使用状態説明図である。以下、各図面に基づいて本考案の実施の形態を詳細に説明するが、説明の便宜上、図２に示す正面図を基準として、「上」「下」「左」「右」の文言を使用することもある。また、説明の便宜上、図２に示す正面図を基準として、側面方向から見た状態（図１や図６に示す状態）を「側面視」と表現し、底面方向から見た状態（図５に示す状態）を「底面視」と表現することもある。
【００１５】
カードホルダー１は、カードを所望の位置に保持する際に用いられる用具であり、陳列棚等の適宜の位置に装着されて用いられる。カードホルダー１は、板状のベース部２０と、ベース部２０の裏面に沿って平行に延びる延伸部２１と、ベース部２０の一端と延伸部２１の一端とを連結する逆Ｕ字状の連接部２２とを備えるホルダー本体２と、ベース部２０の表面上に立設される第１弾性片３と、ベース部２０の表面上に、カードが挿脱可能な間隔を空けて第１弾性片３に対して平行に立設される第２弾性片４と、第１弾性片３又は第２弾性片４の少なくともいずれか一方の内側面に設けられ、第１弾性片３と第２弾性片４との間に挿脱自在に挿入されたカードを押圧して挟持することが可能な第１突起６と、を有する。さらに、本形態においては、ベース部２０の表面上であって第１弾性片３の内縁３ｄの内側に立設され、内側面に第２突起７を備える第３弾性片５を有する。カードホルダー１は、樹脂を材料とし、射出成形により一体として形成されており、カードホルダー１の各部位は弾性変形が可能である。
【００１６】
ホルダー本体２は、陳列棚等の適宜の位置に装着される部位である。図６に示す場合にあっては、ホルダー本体２は、陳列棚Ｓの前端部に立設された仕切板Ｐに装着されている。ホルダー本体２は、四角板状に形成されたベース部２０と、四角板状に形成された延伸部２１と、ベース部２０の上端と延伸部２１の上端とを連結する逆Ｕ字状の連接部２２とを備えており、これらの部位は一体として成形されている。前述のとおり、カードホルダー１は樹脂製であり、連接部２２を基点として、延伸部２１をベース部２０から離間させる方向に拡げることができる。カードホルダー１を把持して、ベース部２０と延伸部２１との間に仕切板Ｐを挟み込むようにして配置することにより、陳列棚Ｓに対してカードホルダー１を容易に装着することができ、カードホルダー１を引き上げることにより、陳列棚Ｓから容易に取り外すこともでき、商品の陳列位置の変更等に応じて、カードホルダー１の装着位置を左右方向に移動させることも容易である。
【００１７】
さらに、本形態におけるホルダー本体２は、ベース部２０の裏面に設けられる突設部８と、延伸部２１に連なり、ベース部２０側に屈曲する部分を有する嵌合部２３と、を有する。突設部８は、三角柱状の樹脂片の一側面をベース部２０の裏面略中央部に設けてなり、側面視で三角形状の突起であり（図１参照）、上側の傾斜側面８ａと、下側の傾斜側面８ｂとを有する。嵌合部２３は、ベース部２０側に屈曲する部分を有し、より詳しくは、逆「く」の字状に構成された、上側の傾斜側面８ａに沿って延びるガイド部２３ａと、延伸部２１の下端とガイド部２３ａとを連結する連結部２３ｂとを有する。そして、図５に示すように、底面視で、延伸部２１とベース部２０との間の隙間を塞ぐように、突設部８が突出するとともに、嵌合部２３がベース部２０側に屈曲している。
【００１８】
かかる構成を有することにより、仕切板Ｐの上方（上斜め方向を含む）からカードホルダー１を仕切板Ｐの上端に差し込んだ場合には、仕切板Ｐが突設部８及び嵌合部２３の屈曲する部分に順次接触して、延伸部２１が連接部２２を基点としてベース部２０から離間する方向に拡がった状態で、仕切板Ｐの上端側がベース部２０と延伸部２１との間に配置される。延伸部２１の復元力が仕切板Ｐに作用して仕切板Ｐを挟み込むため、カードホルダー１は仕切板Ｐから脱落しにくい。なお、本形態においては、突設部８は、三角柱状であるが、半球状その他の形状であっても良い。
【００１９】
第１弾性片３及び第２弾性片４は、一対として、カードＣを両面から挟持する部位である。第１弾性片３は、樹脂製の薄片で、ベース部２０の表面上に立設されており、端部３ａを基点として、第２弾性片４から離間させる方向（左方向）に弾性変形可能である。第２弾性片４は、樹脂製の薄片で、ベース部２０の表面上に、カードＣが挿脱可能な間隔を空けて、第１弾性片３に対して平行に立設されており、端部４ａを基点として、第２弾性片４を第１弾性片３から離間させる方向（右方向）に弾性変形可能である。第１弾性片３と第２弾性片４は相互に離間する方向に拡げることができ、様々な厚さのカードの保持に対応可能である。
【００２０】
第１弾性片３の内側面（第２弾性片４に対向する面側）には、第１弾性片３と第２弾性片４との間に挿脱自在に挿入されたカードＣを押圧して挟持することが可能な第１突起６が設けられている。第１突起６は半球状であり、その突出量が第１弾性片３と第２弾性片４との間に挿入されたカードＣを押圧する程度に設定されている。カードＣは、水平方向に限らず、上下ないし斜め方向からでも挿入可能である。なお、本形態においては、第１突起６は、側面視で水平方向に配置される上下それぞれの脚部３ｂに３か所ずつ設けられており、上下方向に配置される連結部３ｃには設けない構成としている。かかる構成とすることにより、連結部３ｃの表面が平坦となり、カードＣを水平方向から挿入し易い。
【００２１】
カードホルダー１は、陳列棚Ｓに対して、ベース部２０が陳列棚Ｓの正面側に配置されるように（図６参照）、着脱自在に装着される。第１弾性片３及び第２弾性片４はベース部２０の表面に対して立設されており、第１弾性片３と第２弾性片４との間に挿入されたカードＣは、図６に示すように、陳列棚Ｓから通路側に突出する方向に配置されるため、通路上からでもカードの表記面を読み取りやすく、これにより、目的の商品が陳列された棚を通路上から見つけることが容易となる。なお、第１弾性片３及び第２弾性片４を、ベース部２０に対して鉛直方向に立設することにより、カードＣが鉛直方向に配置されるように構成するようにしても良く、各弾性片３、４、５を任意の方向に傾けて立設することにより、任意の角度でカードを保持するようにしても良く、カードを取り付ける高さ位置や用途に応じて、種々変形利用することが可能である。
【００２２】
カードＣを挟持する第１弾性片３と第２弾性片４とを相互に平行に配置する形状とすることで、カードＣの挿入口が狭くならずカードＣを挿入し易くなる。
【００２３】
本形態においては、第１弾性片３は、門型形状の樹脂片であり、両端部（両脚の端部）３ａをベース部２０の表面に連接して設けてあり、側面視で、コ字状の部位である。加えて、第２弾性片４が、側面視で、外縁４ｂを第１弾性片３の内縁３ｄより内側に設けてある。すなわち、側面視で、第２弾性片４が、第１弾性片３に重ならないように設けてある。一般に、第１弾性片３と第２弾性片４との間の隙間（正面方向から見たときの隙間）が狭いと射出成形において離型がしにくいが、本形態によれば、射出成型による一体成形が行い易く、離型が容易で歩留まりが高く、製造し易い。
【００２４】
さらに、本形態においては、カードホルダー１は、ベース部２０の表面上であって第１弾性片３の内縁３ｄの内側に立設され、内側面（第２弾性片４に対向する面側）に第２突起７を備え、第１弾性片３と第２弾性片４との間に挿入されたカードＣを第１弾性片３と同一の面側から押圧して挟持する第３弾性片５を有し、第２弾性片４が、門型形状の樹脂片であって、両端部４ａをベース部２０の表面に連接して設けてあり、第３弾性片５が、側面視で、外縁５ａを第２弾性片４の内縁４ｃより内側に設けてある。すなわち、第３弾性片５は、側面視で、第１弾性片３及び第２弾性片４に重ならないように設けてあるため、射出成型による一体成形が行い易く、離型が容易で歩留まりが高く、製造し易い。
【００２５】
第２突起７は半球状であり、第３弾性片５の内側面の先端側に１箇所設けられており、その突出量は第２弾性片４と第３弾性片５との間に挿入されたカードＣを押圧する程度に設定されている。第２突起７を備える第３弾性片５を有することにより、より確実にカードＣを保持することができる。なお、第２突起の個数は任意であり、本形態の個数に限られない。
【００２６】
各弾性片３、４、５のそれぞれを、透明な樹脂により製造するようにしても良い。各弾性片３、４、５の間にカードＣを挿入すると、カードＣの一部分が各弾性片３、４、５に覆われてしまうが、透明であることにより、カードＣに表記された情報を判読することができる。
【００２７】
本発明の技術的範囲が上記の形態ないし実施例に限定されないことはいうまでもない。例えば、陳列棚Ｓの仕切板Ｐへの装着は本考案の一実施例に過ぎず、様々な対象物に装着して利用することが可能である。また、本考案のカードホルダーは樹脂製が好適であるが、これに限らず、金属その他の材料を用いて形成しても良く、溶着など、射出成形以外の加工方法を用いて製造しても良い。各弾性片３、４、５は、アーチ型や、その他の形状であっても良い。前記実施の形態においては、ベース部２０の表面上には３つの弾性片３、４、５が設けられているが、これに限られず、４つ以上の弾性片を設けるようにしても良い。第１突起、第２突起や突設部は、半球状や三角柱状のものに限られず、円錐状、蒲鉾状その他任意の形状に変更しても良く、その個数やサイズも任意に変更可能である。
【産業上の利用可能性】
【００２８】
本発明は、カードを保持するための用具として、例えば、カードホルダーが装着される陳列棚から通路側へ突出する方向にカードを保持したい場合において利用することが可能である。
【符号の説明】
【００２９】
１    カードホルダー
２    ホルダー本体
２０    ベース部
２１    延伸部
２２    連接部
２３    嵌合部
２３ａ  ガイド部
２３ｂ  連結部
３    第１弾性片
３ａ  端部
３ｂ  脚部
３ｃ  連結部
３ｄ  内縁
４    第２弾性片
４ａ  端部
４ｂ  外縁
４ｃ  内縁
５    第３弾性片
５ａ  外縁
６    第１突起
７    第２突起
８    突設部
８ａ  上側の傾斜側面
８ｂ  下側の傾斜側面
Ｃ    カード
Ｓ    陳列棚
Ｐ    仕切板
Ｇ    商品
【図１】
0003215245.tif 000003
【図２】
0003215245.tif 000004
【図３】
0003215245.tif 000005
【図４】
0003215245.tif 000006
【図５】
0003215245.tif 000007
【図６】
0003215245.tif 000008